(57)【要約】  【課題】構成がシンプルでありながら、液体還元剤用タンクの給水性、メンテナンス性及び保温性を向上させる。  【解決手段】旋回フレーム１４の前部に左右一対の作業機取付け用の支持ブラケット１７，１７が立設され、且つ、液体還元剤を貯留した液体還元剤用タンク１１が搭載された建設機械において、前記液体還元剤用タンク１１を前記左右一対の支持ブラケット１７，１７間の空間部における旋回モータ１６の前方に設置した。【選択図】図３
2010236207.tif 000002
【特許請求の範囲】
【請求項１】
旋回フレームに左右一対の作業機取付け用の支持ブラケットが立設され、且つ、液体還元剤を貯留した液体還元剤用タンクが搭載された建設機械において、前記液体還元剤用タンクを前記左右一対の支持ブラケット間の空間部における旋回モータの前方に設置したことを特徴とする建設機械。
【発明の詳細な説明】
【技術分野】
【０００１】
本発明は建設機械に関するものであり、特に、液体還元剤を貯留した液体還元剤用タンクが搭載された建設機械に関するものである。
【背景技術】
【０００２】
近年、ディーゼルエンジンを搭載した油圧ショベル等の建設機械では、高次の排ガス規制に対応すべく、ディーゼルエンジンの排気系に排ガス処理装置が設置され、ディーゼルエンジンからの排ガスは、排気管の下流側に設けたＮＯｘ還元触媒を通って大気中に放出される。
【０００３】
従来、此種排ガス処理装置としては、尿素水溶液（液体還元剤）を用いた尿素選択還元型のＮＯｘ処理装置が多く採択され、尿素水溶液は金属製の液体還元剤用タンクに貯留されている。又、液体還元剤用タンクは液体還元剤供給パイプにより排気管に接続され、液体還元剤供給ポンプにより液体還元剤用タンク内の尿素水溶液を前記排気管に供給できるように構成されている（例えば、特許文献１参照）。
【先行技術文献】
【特許文献】
【０００４】
【特許文献１】特開２００３−２０９３６号公報
【発明の概要】
【発明が解決しようとする課題】
【０００５】
上記液体還元剤用タンクは上部旋回体の狭隘な場所に設置されている。従って、液体還元剤用タンクに尿素水溶液を補給する際、或いは、液体還元剤用タンクのメンテナンス作業を行う際に、作業者は不自然な作業姿勢を強いられるため、液体還元剤用タンクの給水作業性及びメンテナンス作業性が良くないという問題があった。
【０００６】
又、金属製の液体還元剤用タンクに貯留された尿素水溶液は、氷点下の低温になると凍結し易くなり、凍結した場合には尿素水溶液を液体還元剤として使用できなくなる。
【０００７】
前記尿素水溶液の凍結を防止するには、例えば、液体還元剤用タンクを電気ヒーターで加熱して保温性能を高めればよいが、このように構成すると、構造が複雑になり設備コストが高騰するとともに、電気エネルギの消費量が増大する。
【０００８】
そこで、構成を複雑化することなく液体還元剤用タンクの給水性、メンテナンス性及び保温性を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、旋回フレームに左右一対の作業機取付け用の支持ブラケットが立設され、且つ、液体還元剤を貯留した液体還元剤用タンクが搭載された建設機械において、前記液体還元剤用タンクを前記左右一対の支持ブラケット間の空間部における旋回モータの前方に設置したことを特徴とする建設機械を提供する。
【００１０】
この構成によれば、液体還元剤用タンクは、旋回フレームの前部に立設した左右一対の支持ブラケット間の空間部であって、且つ、旋回モータの前方に位置するように配設され
ている。依って、液体還元剤用タンクに液体還元剤を補給する際、或いは、該液体還元剤用タンクのメンテナンスを行う際には、支持ブラケットの空間部の前側より容易に作業を実行できる。
【発明の効果】
【００１１】
請求項１記載の発明は、液体還元剤用タンクに液体還元剤を補給する際、或いは、液体還元剤用タンクのメンテナンスを行う際は、支持ブラケットの外側より液体還元剤の補給作業やメンテナンス作業を容易迅速に実行でき、以って、液体還元剤用タンクの給水性及びメンテナンス性を向上させることができる。
【００１２】
又、建設機械の稼働中は、旋回モータからの放熱により液体還元剤用タンクが温められるので、ヒーターを取り付けることなく液体還元剤用タンクの保温性が向上し、構成がシンプルでありながら、液体還元剤の凍結を防止することができる。
【図面の簡単な説明】
【００１３】
【図１】本発明の一実施例を示し、油圧ショベル（建設機械）の側面図。
【図２】一実施例に係る油圧ショベルの上部旋回体を示す平面図。
【図３】一実施例に係る液体還元剤用タンクの設置箇所を説明する斜視図。
【発明を実施するための形態】
【００１４】
本発明は、液体還元剤用タンクの給水性、メンテナンス性及び保温性を向上させるという目的を達成するために、旋回フレームに左右一対の作業機取付け用の支持ブラケットが立設され、且つ、液体還元剤を貯留した液体還元剤用タンクが搭載された建設機械において、前記液体還元剤用タンクを前記左右一対の支持ブラケット間の空間部における旋回モータの前方に設置したことによって実現した。
【実施例１】
【００１５】
以下、本発明の好適な実施例を図１乃至図３に従って説明する。図１は建設機械の一例として油圧ショベルを示す。同図に示すように、下部走行体１上には上部旋回体２が旋回可能に装架され、上部旋回体２の前方一側部にキャブ３が設けられている。また、上部旋回体２の前方中央部にブーム４が俯仰可能に枢着され、該ブーム４の先端部にはアーム５が上下回動可能に連結されているとともに、該アーム５の先端部にバケット６が上下回動可能に取り付けられている。
【００１６】
図２に示すように、上部旋回体２の後部にはエンジンルーム７が形成され、該エンジンルーム７内にはディーゼルエンジン８が設置されている。又、ディーゼルエンジン８の前方側（図２における手前側）には冷却ファン１２が設けられているとともに、該冷却ファン１２の前方にはラジエータ等を含む熱交換機ユニット１３が設置されている。
【００１７】
更に、ディーゼルエンジン８には排気管９が接続され、該排気管９の下流側には、高次の排ガス規制に対応すべく、排ガス処理装置１０が設置されている。本実施例に係る排ガス処理装置１０としては、尿素水溶液（液体還元剤）を用いた尿素選択還元型のＮＯｘ処理装置が採択されている。
【００１８】
図３に示すように、前記上部旋回体２の旋回フレーム１４の前部には左右一対のブーム取り付け用の支持ブラケット（縦板）１７，１７が立設され、該支持ブラケット１７，１７の間には旋回モータ１６が設けられている。又、左右一対の支持ブラケット１７，１７内の空間部における旋回モータ１６の前方には液体還元剤用タンク１１が設置され、該液体還元剤用タンク１１内には尿素水溶液が貯留されている。更に、液体還元剤用タンク１１は液体還元剤供給パイプ（図示せず）を介して、前記排ガス処理装置１０に接続されて
いる。
【００１９】
液体還元剤用タンク１１は鉄等の金属に限らず合成樹脂により構成でき、例えば、所要の断熱性を有するポリエチレン樹脂等により液体還元剤用タンク１１を製造することができる。又、液体還元剤用タンク１１の形状は箱形に限らず、設置スペース等の条件に応じて任意に設定できる。
【００２０】
本実施例では、液体還元剤用タンク１１の上面部は前方に傾斜するように形成され、更に、該傾斜面の上部には給水口（図示せず）が開穿されていると共に、該給水口にはキャップ１９が被着されている。
【００２１】
又、液体還元剤用タンク１１の上側は、該液体還元剤用タンク１１の傾斜面と平行な傾斜プレート１８により保護され、該傾斜プレート１８は支持ブラケット１７，１７の前部内側面に固設されている。そして、傾斜プレート１８における液体還元剤用タンク１１のキャップ１９と対応する部分には窓部２０が開穿されている。
【００２２】
叙上の如く本発明によると、液体還元剤用タンク１１は、旋回フレーム１４の前部に立設した左右一対の支持ブラケット１７，１７間の空間部に設置されているので、支持ブラケット１７，１７間の空間部（デッドスペース）を有効に活用することができる。
【００２３】
又、液体還元剤用タンク１１は、旋回モータ１６の前方に位置するように設置され、且つ、液体還元剤用タンク１１のキャップ１９と対応する傾斜プレート１８側には窓部２０が開穿されている。依って、液体還元剤用タンク１１の給水口に尿素水溶液を補給する際、作業者は支持ブラケット１７，１７の窓部２０を通じて直接補給できる。
【００２４】
斯くして、支持ブラケット１７，１７の窓部２０の前側より液体還元剤の補給作業を容易迅速に実行でき、以って、液体還元剤用タンクの給水性が向上する。又、液体還元剤用タンク１１の保守点検作業を行う際も、前記と同様に、支持ブラケット１７，１７の窓部２０の前方より容易迅速に実施でき、液体還元剤用タンク１１のメンテナンス性が向上する。
【００２５】
更に、液体還元剤用タンク１１を金属により構成した場合は、油圧ショベルの稼働中は、旋回モータ１６からの放熱により液体還元剤用タンク１１が温められるので、ヒーター等の加熱装置を別途付設する必要がなく、構成がシンプルでありながら、液体還元剤用タンク１１の保温性が向上して、尿素水溶液の凍結を未然に防止することができる。
【００２６】
本発明に係る液体還元剤用タンク１１の設置構造は、標準型の建設機械及び小型の建設機械の双方に有効に適用でき、場合によっては双方の建設機械において部品の共通化が可能であり、部品コストの低減化を実現できる。
【００２７】
なお、本発明は、本発明の精神を逸脱しない限り種々の改変を為すことができ、そして、本発明が該改変されたものに及ぶことは当然である。
【産業上の利用可能性】
【００２８】
本発明は、液体還元剤用タンクを搭載した建設機械であれば、液体還元剤用タンク内に尿素水溶液以外の液体還元剤を貯留したものにも適用可能である。
【符号の説明】
【００２９】
２    上部旋回体
７    エンジンルーム
８    ディーゼルエンジン
１０  排ガス処理装置
１１  液体還元剤用タンク
１４  旋回フレーム
１６  旋回モータ
１７  支持ブラケット（縦板）
【図１】
2010236207.tif 000003
【図２】
2010236207.tif 000004
【図３】
2010236207.tif 000005